(57)【要約】【課題】表示プレートとの接触干渉を防止しながら、非背光時における表示プレートの高い視認性及び加飾性と、背光時における表示プレートの高い視認性及び加飾性と、の両立を達成することができる背光表示パネル及びその製造方法を提供すること。【解決手段】パネル背面側にＬＥＤ２を配置し、該ＬＥＤ２からの光をパネルの一部分から表面側へ透過させて背光表示する前面パネルＰ１である。光透過性樹脂により二次元平面に成形した光透過性樹脂基材３と、光透過性樹脂基材３の表面側に被覆され、光の透過を遮る塗膜層４と、塗膜層４から光透過性樹脂基材３の途中位置まで厚み方向に切除したカット凹部５と、カット凹部５の内側領域に沈み込み状態で接合固定された電着画像表示プレート６と、を備える。そして、電着画像表示プレート６の外周位置に、電着画像表示プレート６の外周形状に沿うスリット状の光透過ギャップ７を形成した。【選択図】図３
2008197346.tif 000002
【特許請求の範囲】
【請求項１】
パネル背面側に光源を配置し、該光源からの光をパネルの一部分から表面側へ透過させて背光表示する背光表示パネルにおいて、
光透過性樹脂により二次元平面あるいは三次元曲面に成形した光透過性樹脂基材と、
前記光透過性樹脂基材の表面側に被覆され、光の透過を遮る遮光性被覆層と、
前記遮光性被覆層から前記光透過性樹脂基材の途中位置まで厚み方向に切除したカット凹部と、
前記カット凹部の内側領域に沈み込み状態で接合固定された表示プレートと、を備え、
前記表示プレートの外周位置に、表示プレートの外周形状に沿うスリット状の光透過ギャップを形成したことを特徴とする背光表示パネル。
【請求項２】
請求項１に記載された背光表示パネルにおいて、
前記表示プレートは、プレート表面の高さ寸法からパネル表面の高さ寸法を差し引いた寸法差を、-2000μｍ〜+50μｍの範囲に設定したことを特徴とする背光表示パネル。
【請求項３】
請求項１または請求項２に記載された背光表示パネルにおいて、
前記光透過ギャップは、そのギャップ幅を100μｍ〜2000μｍの範囲に設定したことを特徴とする背光表示パネル。
【請求項４】
請求項１乃至請求項３の何れか１項に記載された背光表示パネルにおいて、
前記カット凹部は、表示プレートの外周形状より大きな内周形状を持つ面領域を、前記光透過性樹脂基材の途中位置まで厚み方向に切除して形成し、
前記表示プレートは、前記カット凹部の底面に接合固定し、
前記光透過ギャップは、前記表示プレートの外周面と前記カット凹部の内周面の間に形成したことを特徴とする背光表示パネル。
【請求項５】
請求項１乃至請求項３の何れか１項に記載された背光表示パネルにおいて、
前記カット凹部は、表示プレートの外周形状に沿った線領域のみを、前記光透過性樹脂基材の途中位置まで厚み方向に切除して形成し、
前記表示プレートは、その厚みを前記遮光性被覆層とほぼ同厚にすると共に、前記カット凹部に囲まれた前記光透過性樹脂基材の表面に接合固定し、
前記光透過ギャップは、前記表示プレートの外周面と前記遮光性被覆層の内周面の間隙に、前記カット凹部を加えて形成したことを特徴とする背光表示パネル。
【請求項６】
請求項１乃至請求項５の何れか１項に記載された背光表示パネルにおいて、
前記遮光性被覆層は、遮光性を有する塗料を光透過性樹脂基材の表面に塗布することで形成された塗膜層であることを特徴とする背光表示パネル。
【請求項７】
請求項１乃至請求項５の何れか１項に記載された背光表示パネルにおいて、
前記遮光性被覆層は、予め所望の意匠を施したフィルムを加飾成形により光透過性樹脂基材の表面に被覆することで形成される加飾層であることを特徴とする背光表示パネル。
【請求項８】
請求項１乃至請求項７の何れか１項に記載された背光表示パネルにおいて、
前記表示プレートは、電気分解成形法により作成された電着画像表示プレートであることを特徴とする背光表示パネル。
【請求項９】
請求項１乃至請求項７の何れか１項に記載された背光表示パネルにおいて、
前記表示プレートは、樹脂成形法により作成された樹脂製装飾表示プレートであることを特徴とする背光表示パネル。
【請求項１０】
請求項１乃至請求項７の何れか１項に記載された背光表示パネルにおいて、
前記表示プレートは、フォトエッチング法により作成された金属製表示プレートであることを特徴とする背光表示パネル。
【請求項１１】
請求項１乃至請求項７の何れか１項に記載された背光表示パネルにおいて、
前記表示プレートは、プレス法により作成された金属製表示プレートであることを特徴とする背光表示パネル。
【請求項１２】
請求項１乃至請求項１１の何れか１項に記載された背光表示パネルにおいて、
前記光透過ギャップは、そのギャップ溝内を透明性樹脂により充填したことを特徴とする背光表示パネル。
【請求項１３】
パネル背面側に光源を配置し、該光源からの光をパネルの一部分から表面側へ透過させて背光表示する背光表示パネルの製造方法において、
二次元平面あるいは三次元曲面に成形した光透過性樹脂基材の表面側に遮光性被覆層を形成する被覆工程と、
前記遮光性被覆層と前記光透過性樹脂基材によるパネル材の表面側の遮光性被覆層から光透過性樹脂基材の途中位置まで厚み方向にレーザー光により切除してカット凹部を形成するレーザーカット工程と、
前記カット凹部の内側領域に表示プレートを沈み込み状態で接合固定する表示プレート接合工程と、を備え、
前記表示プレートの外周位置に、表示プレートの外周形状に沿うスリット状の光透過ギャップを形成したことを特徴とする背光表示パネルの製造方法。
【請求項１４】
請求項１３に記載された背光表示パネルの製造方法において、
前記レーザーカット工程では、表示プレートの外周形状より大きな内周形状を持つ面領域を、前記光透過性樹脂基材の途中位置まで厚み方向に切除してカット凹部を形成し、
前記表示プレート接合工程では、表示プレートをカット凹部の底面に接合固定することを特徴とする背光表示パネルの製造方法。
【請求項１５】
請求項１３に記載された背光表示パネルの製造方法において、
前記被覆工程では、光透過性樹脂基材の表示プレート接合領域にマスキングを貼った状態で遮光性被覆層を形成し、
前記レーザーカット工程では、表示プレートの外周形状に沿った線領域のみを、レーザー光により光透過性樹脂基材の途中位置まで厚み方向に切除してカット凹部を形成し、
前記表示プレート接合工程では、表示プレートの厚みを遮光性被覆層とほぼ同厚にすると共に、表示プレートを、マスキング及び遮光性被覆層を剥がした後に残ったカット凹部に囲まれた光透過性樹脂基材の表面に接合固定することを特徴とする背光表示パネルの製造方法。
【発明の詳細な説明】
【技術分野】
【０００１】
本発明は、パネル背面側の光源からの光を、パネルの一部分から表面側へ透過させて背光表示する背光表示パネル及びその製造方法に関する。
【背景技術】
【０００２】
従来、パネル背面側の光源からの光を、パネルの一部分から表面側へ透過させて背光表示する背光表示パネルとしては、透光性を有する成形体の表面側にアンダーコート層とトップコート層が形成され、アンダーコート層とトップコート層の表示部分に相当する所を共にレーザーカットして表示部を形成するものが知られている（例えば、特許文献１参照）。
【特許文献１】特開２００１−１４９６７号公報
【発明の開示】
【発明が解決しようとする課題】
【０００３】
しかしながら、従来の背光表示パネルにあっては、表示部全体について、透光性を有する成形体を残してレーザーカットにより切除し、光源からの光を表示部分に透過させるもの、つまり、文字等による表示部そのものをくり抜き、くり抜いた表示部全体を背光表示するものである。このため、昼間等で光源から背光が無い非背光時には、表示部分を注視しても、トップコート層の色をバックにして、透光性を有する成形体の色や影による表示部がカット溝の奥側に僅かに確認できるだけである。つまり、非背光時と背光時とでは視認性に大きな落差を持つオン／オフ的な表示形態となり、この結果、非背光時における表示部の視認性に劣る、という問題があった。
【０００４】
一方、家電製品等では、メーカー商標名や商品名等による表示部を立体的に突出させた表示プレートを、パネル表面に貼り付けたものが一般的に知られている。しかし、この場合、夜間等の暗い環境下においては、照明を当てない限り表示プレートが暗闇にかすみ、表示部の視認性に劣る。加えて、表示部が立体的に突出しているため、人の手や物がパネル表面に沿って移動すると接触干渉しやすく、この接触干渉により、表示プレートが摩耗したり、表示プレートの一部が損傷したり、表示プレートが脱落してしまう、という問題があった。特に、エッジが鋭い表示プレートの場合、接触干渉の問題が顕著となる。
【０００５】
本発明は、上記問題に着目してなされたもので、表示プレートとの接触干渉を防止しながら、非背光時における表示プレートの高い視認性及び加飾性と、背光時における表示プレートの高い視認性及び加飾性と、の両立を達成することができる背光表示パネル及びその製造方法を提供することを目的とする。
【課題を解決するための手段】
【０００６】
上記目的を達成するため、本発明では、パネル背面側に光源を配置し、該光源からの光をパネルの一部分から表面側へ透過させて背光表示する背光表示パネルにおいて、
光透過性樹脂により二次元平面あるいは三次元曲面に成形した光透過性樹脂基材と、
前記光透過性樹脂基材の表面側に被覆され、光の透過を遮る遮光性被覆層と、
前記遮光性被覆層から前記光透過性樹脂基材の途中位置まで厚み方向に切除したカット凹部と、
前記カット凹部の内側領域に沈み込み状態で接合固定された表示プレートと、を備え、
前記表示プレートの外周位置に、表示プレートの外周形状に沿うスリット状の光透過ギャップを形成したことを特徴とする。
【発明の効果】
【０００７】
よって、本発明の背光表示パネルは、表示プレートがカット凹部の内側領域に沈み込み状態で接合固定されているため、パネル表面からの表示プレートの突出が抑えられ、人の手や物と表示プレートとの接触干渉が防止される。
光源から背光が無い非背光時には、光透過ギャップによる輪郭の隙間部分を通して表示プレートを立体的に視認することができる。このため、非背光時、高い視認性が得られると共に、遮光性被覆層の色や質感等と表示プレートの色や質感等を異ならせ、「象嵌」としての工芸品的付加価値を与えることにより加飾性を得ることができる。
また、光源から背光が照射される背光時には、表示プレートの外周形状に沿った光透過ギャップを透過する光により、遮光性被覆層の色をバックにして表示プレートが、囲まれた光の中に浮き上がって見える。このため、背光時、表示プレートの輪郭を光らせるという浮き出し演出効果により視認性に優れると共に、光透過ギャップを透過する光の色を適切に選択するという色の演出効果により加飾性を得ることができる。
この結果、表示プレートとの接触干渉を防止しながら、非背光時における表示プレートの高い視認性及び加飾性と、背光時における表示プレートの高い視認性及び加飾性と、の両立を達成することができる。
【発明を実施するための最良の形態】
【０００８】
以下、本発明の背光表示パネル及びその製造方法を実現する最良の形態を、図面に示す実施例１〜実施例４に基づいて説明する。
【実施例１】
【０００９】
まず、構成を説明する。
図１は実施例１のデジタルビデオデッキの前面パネル（背光表示パネルの一例）を示す正面図である。図２は実施例１の前面パネルのメーカー商標名を表示した部分の一部拡大図である。図３は実施例１の前面パネルのメーカー商標名を表示した部分の図２のＡ−Ａ線拡大断面図である。
【００１０】
実施例１における前面パネルＰ１は、図１に示すように、パネル本体１のパネル背面側に図外の光源を配置し、該光源からの光をパネルのメーカー商標名部分１ａと商品名部分１ｂから表面側へ透過させて背光表示する背光表示パネルである。なお、図１において、１ｃは電源スイッチ穴、１ｄはディスク脱着穴、１ｅは動作情報表示穴、１ｆは操作ボタン穴である。
【００１１】
前記前面パネルＰ１は、図２及び図３に示すように、ＬＥＤ２（光源）と、光透過性樹脂基材３と、塗膜層４（遮光性被覆層）と、カット凹部５と、電着画像表示プレート６（表示プレート）と、光透過ギャップ７と、を備えている。
【００１２】
前記ＬＥＤ２は、発光ダイオード（例えば、青色発光ダイオード）であり、メーカー商標名部分１ａ（ＡＢＣＤＥと表記した部分）と商品名部分１ｂ（ＨＤ−ＤＶＤと表記した部分）に対応するパネル背面側に配置される。なお、「ＬＥＤ（Light Emitting Diodeの略）」とは、電流を流すと発光する半導体素子の一種である。
【００１３】
前記光透過性樹脂基材３は、透明アクリル樹脂等のような光透過性樹脂により二次元平面に成形したものである。
【００１４】
前記塗膜層４は、図３に示すように、光透過性樹脂基材３の表面側に被覆され、光の透過を遮る遮光性被覆層である。実施例１の塗膜層４は、遮光性を有する塗料（例えば、黒色塗料）を光透過性樹脂基材３の表面に塗布することで形成される。
【００１５】
前記カット凹部５は、図３に示すように、パネル表面側から塗膜層４を貫通し、塗膜層４から光透過性樹脂基材３の途中位置まで厚み方向に切除することで形成される。このカット凹部５の内周形状は、図２及び図３に示すように、電着画像表示プレート６の外周形状より大きな形状とし、内周形状に囲まれる面領域を切除している。
【００１６】
前記電着画像表示プレート６は、図３に示すように、カット凹部５の底面に接着剤層８を介して接合固定されている。この電着画像表示プレート６は、電気分解成形法により作成された金属メッキ層６ｂを表面に有し、シルバーメタリック調の金属質感を出した表示プレートとしている。
【００１７】
前記光透過ギャップ７は、図２及び図３に示すように、電着画像表示プレート６をカット凹部５の底面に接合固定した状態で、電着画像表示プレート６の外周面６ａとカット凹部５の内周面５ａの間に、電着画像表示プレート６の外周形状（図２の場合は「Ａ」の字形状）に沿ってスリット状に形成されたギャップである。
【００１８】
前記カット凹部５と前記電着画像表示プレート６は、カット凹部５の深さの設定と電着画像表示プレート６と接着剤層８（接合層）の合計厚みの設定により、電着画像表示プレート６をカット凹部５の底面に接合固定した状態で、プレート表面の高さ寸法からパネル表面の高さ寸法を差し引いた寸法差を、-2000μｍ〜+50μｍの範囲に設定している。ここで、下限値である-2000μｍは、非背光時に電着画像表示プレート６の視認性を確保できるプレート沈み込み量の限界値である。また、上限値である+50μｍは、カット凹部５の加工誤差や接着剤層８の厚み誤差を考慮して定めた値であり、この値は、目視によっては突出を認識できない程度の値である。なお、好ましくは、パネル表面からプレート表面が突出することのなく、確実なプレート沈み込み状態を実現できる-200μｍ〜+0μｍの範囲による設定とする。
【００１９】
前記光透過ギャップ７は、電着画像表示プレート６の外周形状の設定とカット凹部５の内周形状の設定により、ギャップ幅GWを100μｍ〜2000μｍの範囲に設定している。ここで、下限値である100μｍは、光透過ギャップ７を透過する光を十分に確保できる限界により定めた値である。また、上限値である2000μｍは、散光により電着画像表示プレート６の浮き出し演出性が低下し始める限界により定めた値である。なお、好ましくは、光透過ギャップ７を透過する光による電着画像表示プレート６の高い浮き出し演出効果が発揮される200μｍ〜1000μｍの範囲による設定とする。
【００２０】
次に、実施例１における前面パネルＰ１の製造方法について説明する。
図４は実施例１における前面パネルＰ１の製造方法を示す工程図であり、(a)は被覆工程を示し、(b)はレーザーカット工程を示し、(c)は表示プレート接合工程を示す。
【００２１】
実施例１の前面パネルＰ１の製造方法は、図４に示すように、被覆工程と、レーザーカット工程と、表示プレート接合工程を有する。以下、各工程について説明する。
【００２２】
前記被覆工程は、図４(a)に示すように、二次元平面に成形した光透過性樹脂基材３の表面側に遮光性被覆層としての塗膜層４を形成する工程である。この被覆工程では、遮光性を有する塗料（例えば、黒色塗料）により表面塗装を施すことで、光透過性樹脂基材３の表面を被覆する塗膜層４を形成する。
【００２３】
前記レーザーカット工程は、図４(b)に示すように、遮光性被覆層である塗膜層４と光透過性樹脂基材３によるパネル材の表面側の塗膜層４から光透過性樹脂基材３の途中位置まで厚み方向にレーザー光により切除してカット凹部５を形成する工程である。
このカット工程では、カット凹部５の内周形状を、電着画像表示プレート６の外周形状より大きな形状とし、カット凹部５の内周形状に囲まれる面領域をレーザー光により切除している。なお、カット凹部５の底面形状は、多少の凹凸を許容した平面形状とする。
ここで、カット加工法としてレーザー光による加工法を選択したのは、加工精度、加工速度、加工再現性の高さによる。例えば、炭酸ガスレーザー光で、パワー（光エネルギー）を調整することにより、カット凹部５を高い寸法精度で加工することができる。
【００２４】
前記表示プレート接合工程は、図４(c)に示すように、電着画像表示プレート６の裏面に接着剤を塗布しておき、カット凹部５の底面に電着画像表示プレート６を接合固定する工程である。
電着画像表示プレート６は、別製造ラインにおいて、電気分解成形法により予め製造されているものであり、表面にシルバーメタリック調の金属質感を出す金属メッキ層６ｂを有する。
この表示プレート接合工程では、電着画像表示プレート６の外周面６ａとカット凹部５の内周面５ａの間に、電着画像表示プレート６の外周形状に沿うスリット状の光透過ギャップ７を確保しつつ電着画像表示プレート６をカット凹部５の底面に接合固定する。
【００２５】
次に、実施例１の前面パネルＰ１を採用したデジタルビデオデッキによる作用を、［接触干渉防止作用］と［非背光時の視認・加飾作用］と［背光時の視認・加飾作用］に分けて説明する。
【００２６】
［接触干渉防止作用］
デジタルビデオデッキ等の家電製品では、メーカー商標名や商品名等による表示部を立体的に突出させた表示プレートを、パネル表面に貼り付けたものが一般的に知られている。しかし、この場合、夜間等の暗い環境下においては、照明を当てない限り表示プレートが暗闇にかすみ、表示部の視認性に劣る。加えて、表示部が立体的に突出しているため、人の手や物がパネル表面に沿って移動すると接触干渉しやすい。
【００２７】
これに対し、実施例１の前面パネルＰ１は、電着画像表示プレート６をカット凹部５の底面に沈み込み状態にて接合固定するものであるため、パネル表面からの電着画像表示プレート６の突出が抑えられ、例えば、表示文字等のエッジが鋭くても、人の手や物と電着画像表示プレート６との接触干渉が防止される。
【００２８】
そして、この接触干渉防止作用により、電着画像表示プレート６が摩耗したり、電着画像表示プレート６の一部が損傷したり、電着画像表示プレート６が脱落してしまうことを回避することができる。
【００２９】
［非背光時の視認・加飾作用］
実施例１の前面パネルＰ１は、電着画像表示プレート６の外周面６ａとカット凹部５の内周面５ａの間に、電着画像表示プレート６の外周形状に沿うスリット状の光透過ギャップ７が形成されている。
【００３０】
したがって、光源であるＬＥＤ２からの背光が無い非背光時には、光透過ギャップ７による隙間部分を通して電着画像表示プレート６の外周面６ａが垣間見え、電着画像表示プレート６を立体的に視認することができる。このため、非背光時であっても、一見するだけで電着画像表示プレート６に表示されている表示内容を認識できるという高い視認性が得られる。
【００３１】
実施例１の前面パネルＰ１は、光透過性樹脂基材３を彫り、その彫った部分に他の電着画像表示プレート６を嵌め込んでいる。このため、基材を彫り、その彫った部分に他の素材を嵌め込む「象嵌」による加飾体ということができる。ちなみに、「象嵌」の「象」は「形を切り抜く」という意味があり、「嵌」は［嵌め込む］という意味がある。
【００３２】
しかも、実施例１の前面パネルＰ１は、塗膜層４が黒っぽい塗装による色と質感であるのに対し、電着画像表示プレート６がシルバーメタリック色により金属質感を持たせている。
【００３３】
したがって、光源であるＬＥＤ２からの背光が無い非背光時には、後退色で柔らかい質感による塗膜層４を背景とし、進出色で硬い質感による電着画像表示プレート６を引き立てることで、「象嵌」としての工芸品的付加価値（加飾性）を与えることができる。
【００３４】
［背光時の視認・加飾作用］
実施例１の前面パネルＰ１は、電着画像表示プレート６の外周面６ａとカット凹部５の内周面５ａの間に、電着画像表示プレート６の外周形状に沿うスリット状の光透過ギャップ７が形成されている。
【００３５】
したがって、光源であるＬＥＤ２から背光が照射される背光時には、電着画像表示プレート６の外周形状に沿った光透過ギャップ７を透過する光により、塗膜層４の黒っぽい色をバックにして電着画像表示プレート６が、囲まれた光の中に浮き上がって見える。このため、背光時、電着画像表示プレート６の輪郭を光らせるという浮き出し演出効果により視認性に優れる。
【００３６】
実施例１の前面パネルＰ１は、パネル背面からのバックライトとして、青色の光を発するＬＥＤ２を用いている。
【００３７】
したがって、光透過ギャップ７を透過する光の色が強い青色光、塗膜層４が淡い青色反射光、電着画像表示プレート６が輝く青色反射光、という光の色合いコントラストによる演出効果で、加飾性を得ることができる。
【００３８】
次に、効果を説明する。
実施例１の前面パネルＰ１及びその製造方法にあっては、下記に列挙する効果を得ることができる。
【００３９】
(1) パネル背面側に光源（ＬＥＤ２）を配置し、該光源からの光をパネルの一部分から表面側へ透過させて背光表示する前面パネルＰ１において、光透過性樹脂により二次元平面に成形した光透過性樹脂基材３と、前記光透過性樹脂基材３の表面側に被覆され、光の透過を遮る遮光性被覆層（塗膜層４）と、前記遮光性被覆層から前記光透過性樹脂基材３の途中位置まで厚み方向に切除したカット凹部５と、前記カット凹部５の内側領域に沈み込み状態で接合固定された表示プレート（電着画像表示プレート６）と、を備え、前記表示プレートの外周位置に、表示プレートの外周形状に沿うスリット状の光透過ギャップ７を形成したため、表示プレートとの接触干渉を防止しながら、非背光時における表示プレートの高い視認性及び加飾性と、背光時における表示プレートの高い視認性及び加飾性と、の両立を達成することができる。
【００４０】
(2) 前記表示プレート（電着画像表示プレート６）は、プレート表面の高さ寸法からパネル表面の高さ寸法を差し引いた寸法差を、-2000μｍ〜+50μｍの範囲に設定したため、上記(1)の効果に加え、表示プレートに対する接触干渉を確実に防止することができると共に、「象嵌」により加飾性を高めることができる。
【００４１】
(3) 前記光透過ギャップ７は、そのギャップ幅GWを100μｍ〜2000μｍの範囲に設定したため、上記(1)または(2)の効果に加え、背光時、光透過ギャップ７を透過する光による表示プレート（電着画像表示プレート６）の浮き出し演出性が確保され、高い視認性を得ることができる。
【００４２】
(4) 前記カット凹部５は、表示プレート（電着画像表示プレート６）の外周形状より大きな内周形状を持つ面領域を、前記光透過性樹脂基材３の途中位置まで厚み方向に切除して形成し、前記表示プレートは、前記カット凹部５の底面に接合固定し、前記光透過ギャップ７は、前記表示プレートの外周面と前記カット凹部５の内周面の間に形成したため、上記(1)乃至(3)の何れかの効果に加え、スリット状の光透過ギャップ７を通し、深く沈み込んだ位置に表示プレートの外周面を垣間見ることができる。
【００４３】
(5) 前記遮光性被覆層は、遮光性を有する塗料を光透過性樹脂基材３の表面に塗布することで形成された塗膜層４であるため、上記(1)乃至(4)の何れかの効果に加え、色の選択自由度が高く、簡単な表面塗装を施すだけで、光透過性樹脂基材３の表面に遮光性被覆層を形成することができる。
【００４４】
(6) 前記表示プレートは、電気分解成形法により作成された電着画像表示プレート６であるため、上記(1)乃至(5)の何れかの効果に加え、視認性と加飾性に優れる金属質感を持たせた表示プレートとすることができる。
【００４５】
(7) パネル背面側に光源（ＬＥＤ２）を配置し、該光源からの光をパネルの一部分から表面側へ透過させて背光表示する前面パネルＰ１の製造方法において、二次元平面に成形した光透過性樹脂基材３の表面側に遮光性被覆層（塗膜層４）を形成する被覆工程と、前記遮光性被覆層と前記光透過性樹脂基材３によるパネル材の表面側の遮光性被覆層から光透過性樹脂基材３の途中位置まで厚み方向にレーザー光により切除してカット凹部５を形成するレーザーカット工程と、前記カット凹部５の内側領域に表示プレート（電着画像表示プレート６）を沈み込み状態で接合固定する表示プレート接合工程と、を備え、前記表示プレートの外周位置に、表示プレートの外周形状に沿うスリット状の光透過ギャップ７を形成したため、表示プレートとの接触干渉を防止しながら、非背光時における表示プレートの高い視認性及び加飾性と、背光時における表示プレートの高い視認性及び加飾性と、の両立を達成する前面パネルＰ１の製造方法を提供することができる。
【００４６】
(8) 前記レーザーカット工程では、表示プレート（電着画像表示プレート６）の外周形状より大きな内周形状を持つ面領域を、前記光透過性樹脂基材３の途中位置まで厚み方向に切除してカット凹部５を形成し、前記表示プレート接合工程では、表示プレートをカット凹部５の底面に接合固定するため、上記(7)の効果に加え、光透過ギャップ７を表示プレートの外周面とカット凹部５の内周面の間に形成することができる。
【実施例２】
【００４７】
実施例２は、本発明の背光表示パネルを自動車用シフトノブの操作表示パネルに適用した例である。
【００４８】
まず、構成を説明する。
図５は実施例２の自動車用シフトノブの操作表示パネル（背光表示パネルの一例）を示す平面図である。図６は実施例２の操作表示パネルの変速段数（１速段）を表示した部分の一部拡大図である。図７は実施例２の操作表示パネルの変速段数（１速段）を表示した部分の図６のＢ−Ｂ線拡大断面図である。
【００４９】
実施例２における操作表示パネルＰ２は、図５に示すように、自動車用シフトノブ１０内の頂面部分に嵌め込みにて取り付け、パネル背面側に図外の光源を配置し、該光源からの光をパネル本体１１の変速段表示部分１１ａから表面側へ透過させて背光表示する背光表示パネルである。
【００５０】
前記操作表示パネルＰ２は、図６及び図７に示すように、ＬＥＤ１２（光源）と、光透過性樹脂基材１３と、加飾層１４（遮光性被覆層）と、カット凹部１５と、樹脂製装飾表示プレート１６（表示プレート）と、光透過ギャップ１７と、を備えている。
【００５１】
前記ＬＥＤ１２は、発光ダイオード（例えば、青色発光ダイオード）であり、変速段表示部分１１ａに対応するパネル背面側に配置される。
【００５２】
前記光透過性樹脂基材１３は、透明アクリル樹脂等の光透過性樹脂により三次元曲面に成形したものである。
【００５３】
前記加飾層１４は、図７に示すように、光透過性樹脂基材１３の表面側に被覆され、光の透過を遮る遮光性被覆層である。実施例２の加飾層１４は、予め木目意匠を施したフィルムを加飾成形により光透過性樹脂基材１３の表面に被覆することで形成される。なお、加飾層１４の表面側には、透明のオーバーコート層１９が被覆される。
【００５４】
前記カット凹部１５は、図７に示すように、パネル表面側からオーバーコート層１９及び加飾層１４を貫通し、加飾層１４から光透過性樹脂基材１３の途中位置まで厚み方向に切除することで形成される。このカット凹部１５の内周形状は、図６及び図７に示すように、樹脂製装飾表示プレート１６の外周形状より大きな形状とし、内周面で囲まれる面領域を光透過性樹脂基材１３の途中位置まで厚み方向に切除している。
【００５５】
前記樹脂製装飾表示プレート１６は、図７に示すように、カット凹部１５の底面に接着剤層１８を介して接合固定されている。この樹脂製装飾表示プレート１６は、樹脂成形法（射出成形、ブロー成形、レーザーカット成形、硬化形成型等）により得られた単色（例えば、黒色）による表示プレートとしている。
【００５６】
前記光透過ギャップ１７は、図６及び図７に示すように、樹脂製装飾表示プレート１６をカット凹部１５の底面に接合固定した状態で、樹脂製装飾表示プレート１６の外周面１６ａとカット凹部１５の内周面１５ａの間に、樹脂製装飾表示プレート１６の外周形状（図６の場合は「１」の字形状）に沿ってスリット状に形成されたギャップである。
【００５７】
前記カット凹部１５と前記樹脂製装飾表示プレート１６は、カット凹部１５の深さの設定と樹脂製装飾表示プレート１６と接着剤層１８（接合層）の合計厚みの設定により、樹脂製装飾表示プレート１６をカット凹部１５の底面に接合固定した状態で、プレート表面の高さ寸法からパネル表面の高さ寸法を差し引いた寸法差を、実施例１と同様に、-2000μｍ〜+50μｍの範囲（好ましくは、-200μｍ〜+0μｍの範囲）に設定している。
【００５８】
前記光透過ギャップ１７は、樹脂製装飾表示プレート１６の外周形状の設定とカット凹部１５の内周形状の設定により、実施例１と同様に、ギャップ幅GWを100μｍ〜2000μｍの範囲（好ましくは、200μｍ〜1000μｍの範囲）に設定している。
【００５９】
次に、実施例２における操作表示パネルＰ２の製造方法について説明する。
図８は実施例２における操作表示パネルＰ２の製造方法を示す工程図であり、(a)はフィルム浮かべ工程を示し、(b)はフィルムの水圧転写工程を示し、(c)は基材取り出し工程を示し、(d)は転写部のコーティング工程を示し、(e)はレーザーカット工程を示し、(f)は表示プレート接合工程を示す。
【００６０】
実施例２の操作表示パネルＰ２の製造方法は、図８に示すように、フィルム浮かべ工程と、フィルムの水圧転写工程と、基材取り出し工程と、転写部のコーティング工程と、レーザーカット工程と、表示プレート接合工程を有する。以下、各工程について説明する。
【００６１】
前記フィルム浮かべ工程は、図８(a)に示すように、予め木目意匠を施した水溶性印刷フィルムを水槽に浮かべる固定である。
【００６２】
前記フィルムの水圧転写工程は、図８(b)に示すように、三次元曲面に成形した光透過性樹脂基材１３を水溶性印刷フィルムの上から水槽に沈め、水溶性印刷フィルムを水圧にて光透過性樹脂基材１３に転写する工程である。
【００６３】
前記基材取り出し工程は、図８(c)に示すように、水溶性印刷フィルムを転写した光透過性樹脂基材１３を水槽から取り出す工程である。この工程で、水溶性印刷フィルムは、光透過性樹脂基材１３に転写されて加飾層１４となる。
【００６４】
前記転写部のコーティング工程は、図８(d)に示すように、転写したフィルム表面を保護及び光沢仕上げのためにコーティングしてオーバーコート層１９を形成する工程である。
すなわち、実施例２では、水圧転写加飾工法により、光透過性樹脂基材１３の表面を被覆する加飾層１４を形成する。
【００６５】
前記レーザーカット工程は、図８(e)に示すように、オーバーコート層１９及び加飾層１４と光透過性樹脂基材１３によるパネル材の表面側のオーバーコート層１９から光透過性樹脂基材１３の途中位置まで厚み方向にレーザー光により切除してカット凹部１５を形成する工程である。
このカット工程では、カット凹部１５の内周形状を、樹脂製装飾表示プレート１６の外周形状より大きな形状とし、内周面で囲まれる面領域をレーザー光により光透過性樹脂基材１３の途中位置まで厚み方向に切除している。なお、カット凹部１５の底面形状は、多少の凹凸を許容した平面形状とする。
この実施例２でも、実施例１と同じ理由により、カット加工法としてレーザー光による加工法を選択している。
また、樹脂製装飾表示プレート１６は、別製造ラインにおいて、樹脂成形法により予め製造されている。
【００６６】
前記表示プレート接合工程は、図８(f)に示すように、樹脂製装飾表示プレート１６の裏面に接着剤を塗布しておき、カット凹部１５の底面に樹脂製装飾表示プレート１６を接合固定する工程である。
この表示プレート接合工程では、樹脂製装飾表示プレート１６の外周面１６ａとカット凹部１５の内周面１５ａの間に、樹脂製装飾表示プレート１６の外周形状に沿うスリット状の光透過ギャップ１７を確保しつつ樹脂製装飾表示プレート１６をカット凹部１５の底面に接合固定する。
【００６７】
次に、実施例２における操作表示パネルＰ２を採用した自動車用シフトノブ１０による作用を、［非背光時の視認・加飾作用］と［背光時の視認・加飾作用］に分けて説明する。なお、［接触干渉防止作用］については、実施例１と同様であるので、説明を省略する。
【００６８】
［非背光時の視認・加飾作用］
実施例２の操作表示パネルＰ２は、樹脂製装飾表示プレート１６の外周面１６ａとカット凹部１５の内周面１５ａの間に、樹脂製装飾表示プレート１６の外周形状に沿うスリット状の光透過ギャップ１７が形成されている。
【００６９】
したがって、光源であるＬＥＤ１２からの背光が無い非背光時には、光透過ギャップ１７による隙間部分を通して樹脂製装飾表示プレート１６の外周面１６ａが垣間見え、樹脂製装飾表示プレート１６を立体的に視認することができる。加えて、加飾層１４に施された木目意匠のバックに対し、樹脂製装飾表示プレート１６の黒っぽい単色表示が際立つ。このため、非背光時であっても、一見するだけで樹脂製装飾表示プレート１６に表示されている表示内容を認識できるという高い視認性が得られる。
【００７０】
実施例２の操作表示パネルＰ２は、加飾層１４に木目意匠を施しているため、外観上、「木工象嵌」による加飾体ということができる。
しかも、実施例２の操作表示パネルＰ２は、加飾層１４が木肌色で木目調により暖かい質感を持たせたものであるに対し、樹脂製装飾表示プレート１６が黒っぽい単色により冷たい質感を持たせている。
【００７１】
したがって、光源であるＬＥＤ１２からの光が遮断されている非背光時には、木目調の暖かい質感による加飾層１４を背景とし、単色で冷たい質感による樹脂製装飾表示プレート１６を引き立てることで、「木工象嵌」としての工芸品的付加価値（加飾性）を与えることができる。
【００７２】
［背光時の視認・加飾作用］
実施例２の操作表示パネルＰ２は、樹脂製装飾表示プレート１６の外周面１６ａとカット凹部１５の内周面１５ａの間に、樹脂製装飾表示プレート１６の外周形状に沿うスリット状の光透過ギャップ１７が形成されている。
【００７３】
したがって、光源であるＬＥＤ１２から背光が照射される背光時には、樹脂製装飾表示プレート１６の外周形状に沿った光透過ギャップ１７を透過する光により、加飾層１４の木肌色をバックにして樹脂製装飾表示プレート１６が、囲まれた光の中に浮き上がって見える。このため、背光時、樹脂製装飾表示プレート１６の輪郭を光らせるという浮き出し演出効果により視認性に優れる。
【００７４】
実施例２の操作表示パネルＰ２は、パネル背面からのバックライトとして青色の光を発するＬＥＤ１２を用いている。
したがって、光透過ギャップ１７を透過する光で黒っぽい樹脂製装飾表示プレート１６の輪郭を明るく照らし、加飾層１４のうち、樹脂製装飾表示プレート１６の輪郭部分の木目調を部分的に淡く照らし出すという、光による色のコントラスト演出効果により加飾性を得ることができる。
【００７５】
次に、効果を説明する。
実施例２の操作表示パネルＰ２及びその製造方法にあっては、下記に列挙する効果を得ることができる。
【００７６】
(9) 前記遮光性被覆層は、予め木目意匠を施したフィルムを加飾成形により光透過性樹脂基材１３の表面に被覆することで形成される加飾層１４であるため、(5)を除く実施例１の効果に加え、木目意匠を施した加飾層１４による「木工象嵌」の実現により、加飾性を高めることができる。
【００７７】
(10) 前記表示プレートは、樹脂成形法により作成された樹脂製装飾表示プレート１６であるため、(6)を除く実施例１の効果に加え、容易な樹脂成形法により樹脂製装飾表示プレート１６を得ることができる。
【実施例３】
【００７８】
実施例３は、光透過ギャップのギャップ溝内を透明性樹脂により充填した背光表示パネルの例である。以下、実施例１をベースとして実施例３の背光表示パネルの製造方法を説明する。
【００７９】
図９は実施例３における前面パネルＰ１’（背光表示パネルの一例）の製造方法を示す工程図であり、(a)は被覆工程を示し、(b)はレーザーカット工程を示し、(c)は透明樹脂圧入工程を示し、(d)は第２のレーザーカット工程を示し、(e)は表示プレート接合工程を示す。
【００８０】
実施例３の前面パネルＰ１’の製造方法は、図９に示すように、被覆工程と、レーザーカット工程と、透明樹脂圧入工程と、第２のレーザーカット工程と、表示プレート接合工程を有する。以下、各工程について説明する。
【００８１】
前記被覆工程は、図９(a)に示すように、二次元平面あるいは三次元曲面に成形した光透過性樹脂基材３の表面側に遮光性被覆層としての塗膜層４を形成する工程である。
【００８２】
前記レーザーカット工程は、図９(b)に示すように、遮光性被覆層である塗膜層４と光透過性樹脂基材３によるパネル材の表面側の塗膜層４から光透過性樹脂基材３の途中位置まで厚み方向にレーザー光により切除してカット凹部５を形成する工程である。なお、以上の２つの工程は、実施例１の製造方法と同様である。
【００８３】
前記透明樹脂圧入工程は、図９(c)に示すように、レーザーカット工程によりカット凹部５を形成した後、カット凹部５に透明樹脂９（例えば、透明メジウム）を圧入する工程である。
【００８４】
前記第２のレーザーカット工程は、図９(d)に示すように、透明樹脂圧入工程によりカット凹部５に充填された透明樹脂９が固化した後、レーザー光により光透過ギャップ７の部分を残し、電着画像表示プレート６の外形に合わせて切除する工程である。
【００８５】
前記表示プレート接合工程は、図９(e)に示すように、透明樹脂９により囲まれたカット凹部５の底面に電着画像表示プレート６を接合固定することで、光透過ギャップ７のギャップ溝内を透明性樹脂により充填する工程である。
なお、電着画像表示プレート６は、別製造ラインにおいて、電気分解成形法により予め製造されているものであり、表面にシルバーメタリック調の金属質感を出す金属メッキ層６ｂを有する。
【００８６】
次に、作用を説明すると、実施例３の製造方法により製造される前面パネルＰ１’は、図９(e)に示すように、光透過ギャップ７のギャップ溝内が、透明性樹脂９により充填されたものとなる。
したがって、実施例１の前面パネルＰ１の場合は、光透過ギャップ７のギャップ溝内にゴミ等が入りやすいのに対し、実施例３の前面パネルＰ１’の場合は、光透過ギャップ７のギャップ溝内にゴミ等が入りにくいものとなる。なお、他の作用については、実施例１と同様であるので説明を省略する。
【００８７】
次に、効果を説明する。
実施例３の前面パネルＰ１’にあっては、下記の効果を得ることができる。
【００８８】
(11) 前記光透過ギャップ７は、そのギャップ溝内を透明性樹脂により充填したため、実施例１，２の効果に加え、光透過ギャップ７のギャップ溝内へのゴミの入り込みを防止することができる。
【実施例４】
【００８９】
実施例４は、実施例１〜実施例３がカット凹部を面領域カットとし、カット凹部の底面に表示プレートを接合固定した例であるのに対し、カット凹部を表示プレートの外周に沿う線領域カットとし、光透過性樹脂基材の表面に表示プレートを接合固定するようにした例である。
【００９０】
図１０は実施例４における幅の細いロゴによる金属製表示プレートを持つ背光表示パネルＰ３の製造方法を示す工程図であり、(a)は被覆工程を示し、(b)はレーザーカット工程を示し、(c)はマスキング及び塗膜層の除去工程を示し、(e)は固定表示プレート接合工程を示す。
【００９１】
前記被覆工程は、図１０(a)に示すように、光透過性樹脂基材２３の表示プレート接合領域にマスキング２９を貼った状態で、光透過性樹脂基材２３とマスキング２９の表面に塗膜層２４（遮光性被覆層）を形成する工程である。ここで、マスキング２９としては、表示プレート接合領域に沿ってカットしたポリエステルシート等が用いられる。また、塗膜層２４は、30μｍ〜50μｍの厚みに設定されるもので、１回の塗装厚で塗膜層２４の厚みが不足する場合は、２回，３回と重ね塗装を行う。
【００９２】
前記レーザーカット工程は、図１０(b)に示すように、被覆工程の終了後、金属製表示プレート２６の外周形状（マスキング２９の外周形状）に沿った線領域のみを、レーザー光により光透過性樹脂基材３の途中位置まで厚み方向に切除してカット凹部２５を形成する工程である。このカット凹部２５のカット幅は、光透過ギャップ２７のギャップ幅GWに一致させ、例えば、200μｍ〜1000μｍとする。
【００９３】
前記マスキング及び塗膜層の除去工程は、図１０(c)に示すように、レーザーカット工程の終了後、表示プレート接合領域のマスキング２９及び塗膜層２４を取り除く工程である。なお、レーザーカット工程において、レーザー光によりマスキング２９及び塗膜層２４の外周が切断されるため、切断部分を取り除くだけで、この除去工程が達成される。
【００９４】
前記表示プレート接合工程では、金属製表示プレート２６の厚みを遮光性被覆層である塗膜層２４の厚みとほぼ同厚（30μｍ〜50μｍの厚み）にすると共に、金属製表示プレート２６を、マスキング２９及び塗膜層２４を剥がした後に残ったカット凹部２５に囲まれた光透過性樹脂基材２３の表面に接着剤（接着剤層２８）を介して接合固定する工程である。
ここで、金属製表示プレート２６は、別工程にて製造されるもので、この実施例４では、金属製表示プレート２６を、フォトエッチング法（金属化学腐蝕法）、または、プレス法により作成する。
【００９５】
この実施例４の製造方法により製造される背光表示パネルＰ３は、図１０(d)に示すように、カット凹部２５は、金属製表示プレート２６の外周形状に沿った線領域のみが、光透過性樹脂基材２３の途中位置まで厚み方向に切除して形成される。金属製表示プレート２６は、その厚みが塗膜層２４とほぼ同厚にされると共に、カット凹部２５に囲まれた光透過性樹脂基材２３の表面に接合固定される。光透過ギャップ２７は、金属製表示プレート２６の外周面と塗膜層２４の内周面の間隙に、カット凹部２５を加えて形成される。なお、図１０(d)において、２２は青色発光ダイオードによるＬＥＤ（光源）である。
【００９６】
また、実施例４の［接触干渉防止作用］、［非背光時の視認・加飾作用］、［背光時の視認・加飾作用］ついては、実施例１または実施例２と同様であるので説明を省略する。
【００９７】
次に、効果を説明する。
実施例４の背光表示パネルＰ４及びその製造方法にあっては、下記に列挙する効果を得ることができる。
【００９８】
(12) 前記カット凹部２５は、金属製表示プレート２６の外周形状に沿った線領域のみを、光透過性樹脂基材２３の途中位置まで厚み方向に切除して形成し、前記金属製表示プレート２６は、その厚みを塗膜層２４とほぼ同厚にすると共に、カット凹部２５に囲まれた光透過性樹脂基材２３の表面に接合固定し、前記光透過ギャップ２７は、金属製表示プレート２６の外周面と塗膜層２４の内周面の間隙に、カット凹部２５を加えて形成したため、上記(1)乃至(3)の何れかの効果に加え、平面精度の高い光透過性樹脂基材２３の表面に金属製表示プレート２６を接合固定することで、金属製表示プレート２６の取り付け平面精度を確保することができると共に、パネル表面に対するプレート表面の高さ寸法管理を精度良く行うことができる。
【００９９】
(13) 前記表示プレートは、フォトエッチング法により作成された金属製表示プレート２６であるため、上記(1)乃至(5)の何れかの効果に加え、装飾自由度が高く、視認性と加飾性に優れる金属質感を持たせた表示プレートとすることができる。
【０１００】
(14) 前記表示プレートは、プレス法により作成された金属製表示プレート２６であるため、上記(1)乃至(5)の何れかの効果に加え、製造容易性が得られると共に、視認性と加飾性に優れる金属質感を持たせた表示プレートとすることができる。
【０１０１】
(15) 前記被覆工程では、光透過性樹脂基材２３の表示プレート接合領域にマスキング２９を貼った状態で塗膜層２４を形成し、前記レーザーカット工程では、金属製表示プレート２６の外周形状に沿った線領域のみを、レーザー光により光透過性樹脂基材２３の途中位置まで厚み方向に切除してカット凹部２５を形成し、前記表示プレート接合工程では、金属製表示プレート２６の厚みを塗膜層２４とほぼ同厚にすると共に、金属製表示プレート２６を、マスキング２９及び塗膜層２４を剥がした後に残ったカット凹部２５に囲まれた光透過性樹脂基材２３の表面に接合固定するため、実施例１の(7)の効果に加え、レーザーカット工程の所要時間を短時間としながら、平面精度の高い光透過性樹脂基材２３の表面に金属製表示プレート２６を接合固定することができると共に、光透過ギャップ２７を、金属製表示プレート２６の外周面と塗膜層２４の内周面の間隙に、カット凹部２５を加えて形成することができる。特に、実施例４のように、幅の細いロゴによる金属製表示プレート２６を持つ背光表示パネルＰ３の製造方法として有効である。
【０１０２】
以上、本発明の背光表示パネル及びその製造方法を実施例１〜実施例４に基づき説明してきたが、具体的な構成や工程については、これらの実施例に限られるものではなく、特許請求の範囲の各請求項に係る発明の要旨を逸脱しない限り、設計の変更や追加等は許容される。
【０１０３】
実施例１〜４では、光源として、青色発光ダイオードによるＬＥＤの例を示したが、赤色発光ダイオードによるＬＥＤや緑色発光ダイオードによるＬＥＤやオレンジ色発光ダイオードによるＬＥＤを用いても良い。また、ＬＥＤに限らず、背光（バックライト）として採用できるものであれば、自然光や白熱球や液晶用蛍光管等であっても良い。
【０１０４】
実施例１〜４では、光透過性樹脂基材として、透明アクリル樹脂の例を示したが、光透過性（透明、着色半透明等）を有する樹脂であれば、例えば、ポリカーボネート、エポキシ樹脂、ＡＢＳ樹脂等の合成樹脂を用いることができる。
【０１０５】
実施例１，３，４では、遮光性被覆層として塗膜層を用いる例を示し、実施例２では、遮光性被覆層として加飾層を用いる例を示した。しかし、遮光性被覆層としては、光の透過を遮る層であれば、隠蔽性のある単色顔料インクやメタリック顔料を用いた塗装であっても良いし、また、製遮光性フィルムを貼り付けたもの等であっても良く、これらの例に限られることはない。なお、塗料を用いた場合、レーザー光のエネルギーによって昇華されてしまい固形部が除去されてしまう。
また、実施例２では加飾層を水圧転写加飾工法により形成する例を示したが、インモールド成形加飾工法やインサートモールド成形加飾工法や３次元ラミネート成形加飾工法等を用いても良い。さらに、加飾模様も、実施例２の木目模様に限らず、フィルムに印刷可能な様々な模様（無地模様を含む）を施しても良い。
【０１０６】
実施例１〜４では、カット凹部を、レーザーカットにより形成する例を示したが、刃具によるプレスカット等のように、レーザー以外のカット法を採用しても良い。さらに、試作や少量生産は、レーザー倣い方式とし、大量生産はプレスカット方式というように、使い分けるようにしても良い。
【０１０７】
実施例１，３では表示プレートとして電気分解成形法により作成された電着画像表示プレートの例を示し、実施例２では表示プレートとして樹脂成形法により作成された樹脂製装飾表示プレートの例を示し、実施例４ではフォトエッチング法（金属化学腐蝕法）またはプレス法により作成された金属製表示プレートの例を示した。しかし、表示プレートとしては、これらの方法により作成されたプレートに限らず、これら以外の方法により作成された表示プレート等を用いても良い。
【０１０８】
実施例１，２，３では、表示プレートをカット凹部の底面に接着剤により接着固定する例を示し、実施例４では、表示プレートをカット凹部に囲まれる光透過性樹脂基材の表面に接着固定する例を示した。しかし、表示プレートをカット凹部の周面に対し接着剤により接着固定しても良いし、また、溶着固定や嵌合固定等のように、接着剤を用いることのない方法により表示プレートをカット凹部や光透過性樹脂基材の表面に接合するようにしても良い。
【０１０９】
実施例１〜４では、表示プレートによりアルファベット文字と数字を表示する例を示したが、表示プレートとしては、数字・文字・図形・記号・これらの組み合わせ、等を様々な表示形態のものに適用することができる。
【０１１０】
実施例４では、遮光性被覆層として塗膜層を用いる例を示したが、実施例２のように、厚みのあるフィルム転写するフィルム転写層としても良く、この場合も、１枚のフィルムで厚みが不足する場合には、２層、３層…というように多層のフィルム転写層としても良い。
【産業上の利用可能性】
【０１１１】
実施例１，３では、本発明の背光表示パネルをデジタルビデオデッキの前面パネルへ適用した例を示し、実施例２では、本発明の背光表示パネルを自動車用シフトノブの操作表示パネルへ適用した例を示した。しかし、本発明の背光表示パネルは、デジタルビデオデッキ以外の事業用電化製品や家庭用電化製品へも適用できるし、自動車用シフトノブ以外に車室内トリムやインストルメントパネル周りの自動車用内装材や自動車用外装材へも適用できる。さらに、家具や内外装建材や雑貨品（化粧品ケース）等の様々な用途にも適用できる。
【図面の簡単な説明】
【０１１２】
【図１】実施例１のデジタルビデオデッキの前面パネル（背光表示パネルの一例）を示す正面図である。
【図２】実施例１の前面パネルのメーカー商標名を表示した部分の一部拡大図である。
【図３】実施例１の前面パネルのメーカー商標名を表示した部分の図２のＡ−Ａ線拡大断面図である。
【図４】実施例１における前面パネルＰ１の製造方法を示す工程図であり、(a)は被覆工程を示し、(b)はレーザーカット工程を示し、(c)は表示プレート接合工程を示す。
【図５】実施例２の自動車用シフトノブの操作表示パネル（背光表示パネルの一例）を示す平面図である。
【図６】実施例２の操作表示パネルの変速段数（１速段）を表示した部分の一部拡大図である。
【図７】実施例２の操作表示パネルの変速段数（１速段）を表示した部分の図６のＢ−Ｂ線拡大断面図である。
【図８】実施例２における操作表示パネルＰ２の製造方法を示す工程図であり、(a)はフィルム浮かべ工程を示し、(b)はフィルムの水圧転写工程を示し、(c)は基材取り出し工程を示し、(d)は転写部のコーティング工程を示し、(e)はレーザーカット工程を示し、(f)は表示プレート接合工程を示す。
【図９】実施例３における前面パネルＰ１’（背光表示パネルの一例）の製造方法を示す工程図であり、(a)は被覆工程を示し、(b)はレーザーカット工程を示し、(c)は透明樹脂圧入工程を示し、(d)は第２のレーザーカット工程を示し、(e)は表示プレート接合工程を示す。
【図１０】実施例４における幅の細いロゴによる金属製表示プレートを持つ背光表示パネルＰ３の製造方法を示す工程図であり、(a)は被覆工程を示し、(b)はレーザーカット工程を示し、(c)はマスキング及び塗膜層の除去工程を示し、(e)は固定表示プレート接合工程を示す。
【符号の説明】
【０１１３】
Ｐ１  前面パネル（背光表示パネル）
１  パネル本体
１ａ  メーカー商標名部分
１ｂ  商品名部分
２  ＬＥＤ（光源）
３  光透過性樹脂基材
４  塗膜層（遮光性被覆層）
５  カット凹部
５ａ  内周面
６  電着画像表示プレート（表示プレート）
６ａ  外周面
７  光透過ギャップ
８  接着剤層
９  透明樹脂（透明性樹脂）
Ｐ２  操作表示パネル（背光表示パネル）
１０  自動車用シフトノブ
１１  パネル本体
１１ａ  変速段表示部分
１２  ＬＥＤ（光源）
１３  光透過性樹脂基材
１４  加飾層（遮光性被覆層）
１５  カット凹部
１５ａ  内周面
１６  樹脂製装飾表示プレート（表示プレート）
１６ａ  外周面
１７  光透過ギャップ
１８  接着剤層
Ｐ３  背光表示パネル
２２  ＬＥＤ（光源）
２３  光透過性樹脂基材
２４  塗膜層（遮光性被覆層）
２５  カット凹部
２６  金属製表示プレート（表示プレート）
２７  光透過ギャップ
２８  接着剤層
２９  マスキング
【図１】
2008197346.tif 000003
【図２】
2008197346.tif 000004
【図３】
2008197346.tif 000005
【図４】
2008197346.tif 000006
【図５】
2008197346.tif 000007
【図６】
2008197346.tif 000008
【図７】
2008197346.tif 000009
【図８】
2008197346.tif 000010
【図９】
2008197346.tif 000011
【図１０】
2008197346.tif 000012